(57)【要約】      （修正有）【課題】モータ取付け時の原点調整を不要とすることのできるエンコーダ取付構造を提供する。【解決手段】エンコーダ取付構造１０はエンコーダ１をモータ６に取り付けるためのものであって、エンコーダ１に設けられたエンコーダ側位置決め手段３等と、モータ６側に設けられていてエンコーダ側位置決め手段３等に対応するモータ側位置決め手段８等とからなる構成とする。エンコーダ側位置決め手段３等は凹状または孔状の形態をなす凹部構造または孔部構造とし、これに対応するモータ側位置決め手段８等は、エンコーダ側位置決め手段３等と適合する形態の凸部構造とすることができる。また、エンコーダ側位置決め手段３等およびモータ側位置決め手段８等の具体的な形状は、特に限定されない。【選択図】図１
2015105839.tif 000002
【特許請求の範囲】
【請求項１】
エンコーダをモータに取り付けるためのエンコーダ取付構造であって、該エンコーダに設けられたエンコーダ側位置決め手段と、該モータ側に設けられていて該エンコーダ側位置決め手段に対応するモータ側位置決め手段とからなり、これにより磁気的な、ないしは電磁的な調整が不要であることを特徴とする、エンコーダ取付構造。
【請求項２】
前記エンコーダ側位置決め手段とモータ側位置決め手段は二組以上設けられていることを特徴とする、請求項１に記載のエンコーダ取付構造。
【請求項３】
前記エンコーダ側位置決め手段は凹部構造または孔部構造であり、前記モータ側位置決め手段は該エンコーダ側位置決め手段と適合する凸部構造であることを特徴とする、請求項１または２に記載のエンコーダ取付構造。
【請求項４】
請求項１ないし３のいずれかに記載のエンコーダ取付構造を構成可能な、脱着式エンコーダ。
【請求項５】
請求項１ないし３のいずれかに記載のエンコーダ取付構造を備えた、エンコーダ付きモータ。
【発明の詳細な説明】
【技術分野】
【０００１】
本発明はエンコーダ取付構造、脱着式エンコーダおよびエンコーダ付きモータに係り、特に、モータ取付け時の原点調整を不要とすることのできる、エンコーダ取付構造、脱着式エンコーダおよびエンコーダ付きモータに関するものである。
【背景技術】
【０００２】
従来のエンコーダ取付け方法は、モータを予め励磁しておき、モータ原点にエンコーダ原点が来るよう電磁的な調整をしながら取付けを行なうものである。これは、±１度程度の誤差しか許されない、高い精度の必要な作業である。
【０００３】
なお後掲特許文献１には、モータの設置場所において計測器の使用条件が制限される場合でも、本体の原点位置の調整作業、モータへの取付け作業を容易に行える位置検出用エンコーダとして、ロータの本体に対する回転を固定しかつ固定を解除する機能を有する固定器具を設け、その後、本体とモータとを板バネによって固定し、最後に本体とロータの固定を解除する位置検出用エンコーダが開示されている。つまりこれは、モータへの取付け前のエンコーダ自身の軸の位置合わせに関するものである。
【先行技術文献】
【特許文献】
【０００４】
【特許文献１】特開２００６−２０１１０８号公報「位置検出用エンコーダ及びその取付け方法」（みなし取下）
【発明の概要】
【発明が解決しようとする課題】
【０００５】
さて上述したように、従来のエンコーダ取付け方法における原点調整は、±１度程度の誤差しか許されず、非常に困難な作業である。したがって慎重な作業が必要であり、技能の習熟にも時間がかかる。この問題は従来技術では解決されていない。なお、モータへの取付け前のエンコーダ自身の軸の位置合わせに関する技術である上記文献開示技術もまた、かかる問題を解決できるものではない。
【０００６】
そこで本発明が解決しようとする課題は、かかる従来技術の問題点をなくし、モータ取付け時の原点調整を不要とすることのできる、エンコーダ取付構造、脱着式エンコーダおよびエンコーダ付きモータを提供することである。
【課題を解決するための手段】
【０００７】
本願発明者は上記課題について検討した結果、エンコーダのバネおよび軸に位置決め用の穴または溝を設け、一方、モータ側にはフランジおよび軸に位置決め用のピンを設ける構成とし、エンコーダ取付け時に穴または溝にピンが入るよう取付けることによって機械的な位置決めが可能となり、取付け作業が容易となることを見出し、これに基づいて本発明を完成するに至った。すなわち、上記課題を解決するための手段として本願で特許請求される発明、もしくは少なくとも開示される発明は、以下の通りである。
【０００８】
〔１〕  エンコーダをモータに取り付けるためのエンコーダ取付構造であって、該エンコーダに設けられたエンコーダ側位置決め手段と、該モータ側に設けられていて該エンコーダ側位置決め手段に対応するモータ側位置決め手段とからなり、これにより磁気的な、ないしは電磁的な調整が不要であることを特徴とする、エンコーダ取付構造。
〔２〕  前記エンコーダ側位置決め手段とモータ側位置決め手段は二組以上設けられていることを特徴とする、〔１〕に記載のエンコーダ取付構造。
【０００９】
〔３〕  前記エンコーダ側位置決め手段は凹部構造または孔部構造であり、前記モータ側位置決め手段は該エンコーダ側位置決め手段と適合する凸部構造であることを特徴とする、〔１〕または〔２〕に記載のエンコーダ取付構造。
〔４〕  〔１〕ないし〔３〕のいずれかに記載のエンコーダ取付構造を構成可能な、脱着式エンコーダ。
〔５〕  〔１〕ないし〔３〕のいずれかに記載のエンコーダ取付構造を備えた、エンコーダ付きモータ。
【発明の効果】
【００１０】
本発明のエンコーダ取付構造、脱着式エンコーダおよびエンコーダ付きモータは上述のように構成されるため、これによれば、エンコーダのモータ取付け時における、従来のような原点調整を不要とすることができる。従来、エンコーダをモータに取り付ける際には、エンコーダの原点とモータの原点を調整しながら合わせるという非常に困難な作業が必要であったが、本発明によればそのような調整をすることなく機械的に原点を合わせることができ、作業を容易化できる。また、特別な習熟を要するような技能も不要である。
【図面の簡単な説明】
【００１１】
【図１】本発明のエンコーダ取付構造の基本的構成を示す概念図である。
【図２】本発明脱着式エンコーダの実施例を示す説明図である。
【図３】図２の実施例における軸の構造を示す説明図である。
【発明を実施するための形態】
【００１２】
以下、図面により本発明を詳細に説明する。
図１は、本発明のエンコーダ取付構造の基本的構成を示す概念図である。図示するように本エンコーダ取付構造１０は、エンコーダ１をモータ６に取り付けるためのものであって、エンコーダ１に設けられたエンコーダ側位置決め手段３等と、モータ６側に設けられていてエンコーダ側位置決め手段３等に対応するモータ側位置決め手段８等とからなることを、主たる構成とする。
【００１３】
図示するように本エンコーダ取付構造１０のエンコーダ側位置決め手段３等は凹状または孔状の形態をなす凹部構造または孔部構造とし、これに対応するモータ側位置決め手段８等は、エンコーダ側位置決め手段３等と適合する形態の凸部構造とすることができる。なお、これとは逆に、エンコーダ側位置決め手段が凸部構造、モータ側位置決め手段が凹部構造または孔部構造としてもよい。なおまた、エンコーダ側位置決め手段３等およびモータ側位置決め手段８等の具体的な形状は、特に限定されない。
【００１４】
かかる構成により本エンコーダ取付構造１０においては、エンコーダ１上のエンコーダ側位置決め手段３等と、モータ６側のモータ側位置決め手段８等とを対向させ、接触させていくと、これらが相互に対応する形態であるため相互に適合し、エンコーダ１とモータ６との位置合わせを的確に行った状態で、エンコーダ１をモータ６に取り付けることができる。
【００１５】
すなわち、原点合わせのために、予めエンコーダ１におけるエンコーダ側位置決め手段３等の位置と、モータ６側におけるモータ側位置決め手段８等の位置とをそれぞれ適切な位置に設けておくことにより、これらを機械的に適合するだけで容易に位置合わせ、原点調整を行うことができる。したがって、従来のようなモータ取付け時における磁気的な、ないしは電磁的な原点調整は不要となる。
【００１６】
図示するように、エンコーダ側位置決め手段３等と、これに対応するモータ側位置決め手段８等の組は、二組以上設けるものとすることができる。図では、エンコーダ側位置決め手段３、４、これらにそれぞれ対応するモータ側位置決め手段８、９、すなわち二組のエンコーダ側位置決め手段−モータ側位置決め手段が設けられた例を示しているが、三組以上であってももちろんよい。また、一組のみの場合も、本発明からは除外されない。しかしながら、二組以上とすることによって、より精度の高い位置合わせ、原点調整が可能となる。
【００１７】
以上説明したエンコーダ取付構造１０を構成可能な、モータ６への脱着自在の脱着式エンコーダ（１）や、エンコーダ取付構造１０を備えたエンコーダ付きモータ自体もまた、本発明の範囲内である。
【００１８】
図２は、本発明脱着式エンコーダの実施例を示す説明図である。また、
図３は、図２の実施例における軸の構造を示す説明図である。図中、（ａ）は正面図、（ｂ）は平面図、（ｃ）は左側面図、（ｄ）は背面図である。背面がモータへの取付け面である。また（ｘ）は（ｄ）に示された軸に設けられた溝の断面図、（ｙ）は端面図である。
【００１９】
これらに示すように本例の脱着式エンコーダは、そのバネおよび軸に位置決め用の穴または溝を設け、一方、これらに対応させてモータ側（図示せず）には、フランジおよび軸にそれぞれ、位置決め用のピンを設けることにより、エンコーダ取付け時に、その穴または溝にモータ側のピンが入るように取付けることによって、機械的な位置決めが可能となり、取付け作業が容易となる。
【産業上の利用可能性】
【００２０】
本発明のエンコーダ取付構造、脱着式エンコーダおよびエンコーダ付きモータによれば、エンコーダのモータ取付け時における従来のような原点調整を不要とすることができ、作業を容易化できる。したがって、当該分野および関連する全分野において、産業上利用性が高い発明である。
【符号の説明】
【００２１】
１…エンコーダ
３、４…エンコーダ側位置決め手段
６…モータ
７…モータの軸
８、９…モータ側位置決め手段
１０…エンコーダ取付構造
【図１】
2015105839.tif 000003
【図２】
2015105839.tif 000004
【図３】
2015105839.tif 000005